(57)【要約】【課題】  IP電話網又は一般電話網からインターネット網への電気通信番号を用いた呼の接続をよりシンプルかつ効率的に実現する。【解決手段】  IP電話網における呼制御システムにおいて、一般電話網等に接続された発端末から、インターネット網又は前記IP電話網に接続されたIP電話端末に対する呼接続要求を受信し、その呼接続要求に含まれる電気通信番号と記憶手段に格納された情報とに基づき前記IP電話端末が前記インターネット網に接続されているか否かを判定する判定手段と、前記判定手段により前記IP電話端末が前記インターネット網に接続されていると判定された場合に、前記インターネット網に呼を転送することを通知するためのガイダンスを前記発端末に送信するガイダンス送信手段と、前記IP電話端末に呼接続要求を送信することにより前記IP電話端末と前記発端末との間の呼接続を行う呼接続制御手段とを備える。【選択図】図４
2008271218.tif 000002
【特許請求の範囲】
【請求項１】
電気通信番号の割り当てが行われているIP電話網における呼制御システムであって、
前記IP電話網又は一般電話網に接続された発端末から、インターネット網又は前記IP電話網に接続されたIP電話端末に対する呼接続要求を受信し、その呼接続要求に含まれる前記IP電話端末の電気通信番号と前記呼制御システムの記憶手段に格納された情報とに基づき前記IP電話端末が前記インターネット網に接続されているか否かを判定する判定手段と、
前記判定手段により前記IP電話端末が前記インターネット網に接続されていると判定された場合に、前記インターネット網に呼を転送することを通知するためのガイダンスを前記発端末に送信するガイダンス送信手段と、
前記IP電話端末に呼接続要求を送信することにより前記IP電話端末と前記発端末との間の呼接続を行う呼接続制御手段と
を備えたことを特徴とする呼制御システム。
【請求項２】
前記IP電話端末は、自端末が前記インターネット網又は前記IP電話網のどちらに接続しているかを判定し、その判定結果を前記呼制御システムに送信し、前記呼制御システムは、その判定結果を前記電気通信番号に対応付けて前記記憶手段に格納し、
前記判定手段は、前記電気通信番号に対応付けられた前記判定結果を前記記憶手段から取得し、その判定結果に基づき前記IP電話端末が前記インターネット網に接続されているか否かを判定することを特徴とする請求項１に記載の呼制御システム。
【請求項３】
前記呼制御システムは、前記インターネット網又は前記IP電話網に接続された前記IP電話端末から当該IP電話端末の電気通信番号とIPアドレスとを含む登録要求を受信し、当該IPアドレスから前記IP電話端末が前記インターネット網に接続されているか否かを判定し、その判定結果を前記電気通信番号と前記IPアドレスとに対応付けて前記記憶手段に格納する登録手段を更に備え、
前記判定手段は、前記電気通信番号に対応付けられた前記判定結果を前記記憶手段から取得し、その判定結果に基づき前記IP電話端末が前記インターネット網に接続されているか否かを判定することを特徴とする請求項１に記載の呼制御システム。
【請求項４】
前記呼制御システムは、前記インターネット網又は前記IP電話網に接続された前記IP電話端末から当該IP電話端末の電気通信番号とIPアドレスとを含む登録要求を受信し、当該IPアドレスを前記電気通信番号に対応付けて前記記憶手段に格納する登録手段を更に備え、
前記判定手段は、前記記憶手段に格納されたIPアドレスから前記IP電話端末が前記インターネット網に接続されているか否かを判定することを特徴とする請求項１に記載の呼制御システム。
【請求項５】
前記記憶手段は、前記IP電話端末がIP電話網のみで使用できるIP電話専用端末であるかIP電話網のみならずインターネット網でも使用できるインターネット接続IP電話端末であるかを示す端末種別情報を前記IP電話端末の電気通信番号と対応付けて格納しており、
前記判定手段は、前記IP電話端末の電気通信番号と対応付けられた端末種別情報が前記インターネット接続IP電話端末を示す情報である場合に、前記IP電話端末が前記インターネット網に接続されていると判定することを特徴とする請求項１に記載の呼制御システム。
【請求項６】
前記記憶手段は、前記IP電話端末がIP電話網のみで使用できるIP電話専用端末であるかIP電話網のみならずインターネット網でも使用できるインターネット接続IP電話端末であるかを示す端末種別情報を前記IP電話端末の電気通信番号と対応付けて格納しており、
前記IP電話端末が前記インターネット網に接続されていると判定され、かつ、前記IP電話端末が前記IP電話専用端末である場合において、前記呼制御システムは呼接続のための処理を行わないことを特徴とする請求項１ないし4のうちいずれか１項に記載の呼制御システム。  
【請求項７】
前記記憶手段は、前記IP電話端末がIP電話網のみで使用できるIP電話専用端末であるかIP電話網のみならずインターネット網でも使用できるインターネット接続IP電話端末であるかを示す端末種別情報を前記IP電話端末の電気通信番号と対応付けて格納しており、
前記IP電話端末が前記インターネット網に接続されていると判定され、かつ、前記IP電話端末が前記IP電話専用端末である場合において、前記呼制御システムは、前記IP電話端末のIPアドレスを前記記憶手段に格納する登録処理を行わないことを特徴とする請求項１ないし4のうちいずれか１項に記載の呼制御システム。  
【請求項８】
電気通信番号の割り当てが行われているIP電話網における呼制御装置であって、
前記IP電話網又は一般電話網に接続された発端末から、インターネット網又は前記IP電話網に接続されたIP電話端末に対する呼接続要求を受信し、その呼接続要求に含まれる前記IP電話端末の電気通信番号と前記呼制御装置の記憶手段に格納された情報とに基づき前記IP電話端末が前記インターネット網に接続されているか否かを判定する判定手段と、
前記判定手段により前記IP電話端末が前記インターネット網に接続されていると判定された場合に、前記インターネット網に呼を転送することを通知するためのガイダンスを送信するようガイダンス送信装置に対して指示するガイダンス送信指示手段と、
前記IP電話端末に呼接続要求を送信することにより前記IP電話端末と前記発端末との間の呼接続を行う呼接続制御手段と
を備えたことを特徴とする呼制御装置。
【請求項９】
電気通信番号の割り当てが行われているIP電話網における呼制御システムが実行する呼制御方法であって、
前記IP電話網又は一般電話網に接続された発端末から、インターネット網又は前記IP電話網に接続されたIP電話端末に対する呼接続要求を受信し、その呼接続要求に含まれる前記IP電話端末の電気通信番号と前記呼制御システムの記憶手段に格納された情報とに基づき前記IP電話端末が前記インターネット網に接続されているか否かを判定する判定ステップと、
前記IP電話端末が前記インターネット網に接続されていると判定された場合に、前記インターネット網に呼を転送することを通知するためのガイダンスを前記発端末に送信するガイダンス送信ステップと、
前記IP電話端末に呼接続要求を送信することにより前記IP電話端末と前記発端末との間の呼接続を行う呼接続制御ステップと
を備えたことを特徴とする呼制御方法。
【請求項１０】
コンピュータを、電気通信番号の割り当てが行われているIP電話網における呼制御装置として機能させるプログラムであって、前記コンピュータを、
前記IP電話網又は一般電話網に接続された発端末から、インターネット網又は前記IP電話網に接続されたIP電話端末に対する呼接続要求を受信し、その呼接続要求に含まれる前記IP電話端末の電気通信番号と前記呼制御装置の記憶手段に格納された情報とに基づき前記IP電話端末が前記インターネット網に接続されているか否かを判定する判定手段、
前記判定手段により前記IP電話端末が前記インターネット網に接続されていると判定された場合に、前記インターネット網に呼を転送することを通知するためのガイダンスを送信するようガイダンス送信装置に対して指示するガイダンス送信指示手段、
前記IP電話端末に呼接続要求を送信することにより前記IP電話端末と前記発端末との間の呼接続を行う呼接続制御手段、
として機能させるプログラム。
【発明の詳細な説明】
【技術分野】
【０００１】
本発明は、電気通信番号が割り当てられているIP電話網又は一般電話網に接続された端末からの呼をインターネット網に接続されたIP電話端末に転送するための技術に関するものである。
【背景技術】
【０００２】
電気通信事業者が提供する電話サービスにおいて、電気通信番号（いわゆる電話番号であり、以下、電番とも呼ぶ）の割り当てを受けるためには、電話サービスを提供するための網が一定の通話品質条件を満たす必要がある。従って、通話品質管理の困難なインターネット網を利用するインターネット電話では、従来は電気通信番号を利用して端末の接続を行うことはできなかった。
【０００３】
しかしながら、総務省における「IP時代における電気通信番号の在り方に関する研究会」の答申（非特許文献１）を受け、一定の条件を満たした通話転送動作（転送前ガイダンスの挿入）を行うことにより、着信先の電気通信番号をダイヤルすることによりなされたIP電話網又は一般電話網からの発信呼をインターネット網に接続された端末で受信することが可能になっている。
【０００４】
なお、本明細書及び特許請求の範囲において、"IP電話網"とは通話品質条件を満たし電気通信番号の割り当てが行われている網であり、"一般電話網"とは固定電話網及び携帯電話網等のIP電話でない一般の電話網であり、"インターネット網"とは特に通話品質の管理がなされていない一般的なインターネット網であるものとする。
【０００５】
上記の転送前ガイダンス挿入を実現するための従来技術として、インターネット網に新たにVoIP（Voice over IP）サーバを設置し、IP電話網とインターネット網との間を転送ゲートウェイ装置で接続して所定の転送処理を行う技術がある。図１に、この従来技術のシステム構成を示す。
【０００６】
図１に示すように、インターネット網にVoIPサーバ１が備えられることによりインターネット電話網３が構成され、インターネット電話網３が転送ゲートウェイ装置５を介してIP電話網７に接続される。IP電話網７は独自のVoIPサーバ９を備え、一般電話網１１は交換機１０を備える。また、IP電話網７と一般電話網１１はゲートウェイ装置１３を介して接続されている。
【０００７】
図２のシーケンスチャートを参照して、一般電話網１１又はIP電話網７（図２の例では一般電話網１１）に接続された発端末１５からインターネット電話網３に接続された着端末１７に着信を行う場合におけるシーケンスを説明する。
【０００８】
まず、事前処理として、IP電話網７のVoIPサーバ９に着端末１７の割り当て電番を登録し、転送ゲートウェイ装置５に着端末１７の端末IDと電番を登録し、インターネット電話網３のVoIPサーバ１に着端末１７の端末IDを登録する（ステップ１〜３）。なお、"登録する"とは情報を記憶装置に格納することを含む。
【０００９】
その後、着端末１７がインターネット電話網３に接続すると、着端末１７にはIPアドレスが割り当てられ、そのIPアドレスと端末IDとを含む登録要求（レジスター）をVoIPサーバ１に送信する（ステップ４、５）。なお、着端末１７がVoIPサーバ１に接続する際には、ID、パスワード等を用いた認証が行われる。また、転送ゲートウェイ装置５は、自分の端末ID´とIPアドレスとを含む登録要求をインターネット電話網３のVoIPサーバ１に送信するとともに、着端末１７の電番と自分のIPアドレスとを含む登録要求をIP電話網７のVoIPサーバ９に送信する（ステップ６、７）。インターネット電話網３のVoIPサーバ１とIP電話網７のVoIPサーバ９はそれぞれ登録を行う（ステップ８、９）。転送ゲートウェイ装置５が常時接続稼動している場合は、「端末ID´＆IP」および「電番＆IP」等の情報を各サーバに事前に登録しておくことにより、上記の登録処理（図２のステップ６、７）を省略することも可能である。
【００１０】
図３(a)に、IP電話網７のVoIPサーバ９における登録後のデータ例を示す。図３(a)に示すように、着端末１７の電番と転送ゲートウェイ装置５のIPアドレスとが対応付けて格納されている。図３(b)は、転送ゲートウェイ装置５に登録されるデータ例であり、着端末１７の電番と着端末１７の端末IDとが格納されている。図３(c)は、インターネット電話網３のVoIPサーバ１に登録されるデータ例であり、着端末１７の端末IDとIPアドレスとが格納されている。以下、着端末１７の電番が05033001235、端末IDがBob、IPアドレスが150.1.2.3であるものとする。また、転送ゲートウェイ装置５のIPアドレスが122.1.2.3であるものとする。
【００１１】
その後、発端末１５は、着端末１７に割り当てられた電番をダイヤルすることによる発信操作に応じて呼接続要求を送信する（ステップ１０）。IP電話網７のVoIPサーバ９は、受信した呼接続要求の中の着端末１７の電番（05033001235）を用い、図３(a)に示すデータを検索して転送ゲートウェイ装置５のIPアドレス（122.1.2.3）を取得し（ステップ１１）、転送ゲートウェイ装置５宛に着端末１７の電番を含む呼接続要求を送信する（ステップ１２）。これにより転送ゲートウェイ装置５には発端末１５からの着信がなされることになる。
【００１２】
呼接続要求を受信した転送ゲートウェイ装置５は、着端末１７の電番を用いて図３(b)のデータを検索することにより着端末１７の端末IDを取得し、転送処理を起動する（ステップ１３）。また、転送ゲートウェイ装置５は、一旦着信応答をし（ステップ１４、１５）、応答により接続された転送ゲートウェイ装置５と発端末１５間の通話路を用いて発端末１５に転送前ガイダンス（"インターネット電話サービスに転送します。"等）を送出する（ステップ１６）。
【００１３】
転送前ガイダンスの送出が終了すると、転送ゲートウェイ装置５はインターネット電話網３の着端末１７に向けて発信を行う。つまり、端末IDを含む呼接続要求を送信する（ステップ１７）。VoIPサーバ１は、呼接続要求に含まれる端末IDを用いて図３(c)に示すデータを検索することにより着端末１７のIPアドレスを取得し（ステップ１８）、着端末１７に呼接続要求を送信する（ステップ１９）。呼接続要求を受信した着端末は呼び出し動作を行い（ステップ２０）、呼出中であることを示す応答を返す（ステップ２１）。応答を受信したゲートウェイ装置１３は、リングバックトーン（RBT）を送信する（ステップ２２）。
【００１４】
着端末１７がオフフックをすることにより（ステップ２３）、接続成功を示す接続応答が送信され（ステップ２４）、着端末と発端末間で呼接続がなされ、通話が行われる（ステップ２５）。
【非特許文献１】"IP時代における電気通信番号の在り方に関する研究会  第二次報告書"、総務省、平成１８年６月、インターネット  ＜URL:http://www.soumu.go.jp/s-news/2006/pdf/060616_1_houkoku.pdf＞
【発明の開示】
【発明が解決しようとする課題】
【００１５】
インターネット網への呼の転送を実現するための上記従来技術においては、インターネット電話網とIP電話網との間に転送ゲートウェイ装置を設置して両者を接続することから、以下の（１）〜（４）の問題があった。
（１）利用者のサービス利用開始、利用停止、付加サービスの設定等に際し、複数の装置に対して加入者データ等の設定を行う必要があり、サービス運用業務が複雑化する。
（２）付加サービスの実現には複数の装置間の連携が必要となり、開発コストが増加する。
（３）インターネット電話網におけるVoIPサーバや管理運用機能、及び転送ゲートウェイ装置のための設備コスト、及びこれら追加装置の運用・維持コストがかかる。
（４）転送ゲートウェイ装置において両網を接続するため、通話品質・接続品質が低下する可能性がある。
【００１６】
更に、上記従来技術においては次のような問題もある。上記従来技術では、着側ユーザがインターネット電話網に接続している場合に０５０番号等の電気通信番号での着信を可能とするために、IP電話網において当該電気通信番号への呼を固定的に転送ゲートウェイ装置へ転送し、同時に発信者に対してインターネット電話網へ接続する旨のガイダンスを送出している。このため、着側ユーザがIP電話網に接続している場合であっても、当該電気通信番号への呼は常にインターネット電話網を経由しての接続となってしまい、発信者へは常にガイダンスが送出されてしまっていた。
【００１７】
本発明は上記の点に鑑みてなされたものであり、IP電話網又は一般電話網からインターネット網への電気通信番号を用いた呼の接続を、より適切でシンプルかつ効率的に実現するための技術を提供することを目的とする。
【課題を解決するための手段】
【００１８】
上記の課題は、電気通信番号の割り当てが行われているIP電話網における呼制御システムであって、前記IP電話網又は一般電話網に接続された発端末から、インターネット網又は前記IP電話網に接続されたIP電話端末に対する呼接続要求を受信し、その呼接続要求に含まれる前記IP電話端末の電気通信番号と前記呼制御システムの記憶手段に格納された情報とに基づき前記IP電話端末が前記インターネット網に接続されているか否かを判定する判定手段と、前記判定手段により前記IP電話端末が前記インターネット網に接続されていると判定された場合に、前記インターネット網に呼を転送することを通知するためのガイダンスを前記発端末に送信するガイダンス送信手段と、前記IP電話端末に呼接続要求を送信することにより前記IP電話端末と前記発端末との間の呼接続を行う呼接続制御手段とを備えたことを特徴とする呼制御システムにより解決される。
【発明の効果】
【００１９】
本発明によれば、IP電話網における呼制御システムにおいて、発端末からの呼接続要求を受信した場合に、着信先のIP電話端末がインターネット網に接続されているか否かを判定し、インターネット網に接続されていると判定した場合に、インターネット網に呼を転送することを通知するためのガイダンスを発端末に送信することとしたので、IP電話網又は一般電話網からインターネット網への電気通信番号を用いた呼の接続を、より適切でシンプルかつ効率的に実現することが可能となる。
【発明を実施するための最良の形態】
【００２０】
以下、図面を参照して本発明の実施の形態について説明する。
【００２１】
（実施の形態の概要）
まず、図４を参照して本実施の形態におけるシステム構成と基本動作を説明する。図４に示すように、本実施の形態におけるシステムは、インターネット網２１の中にVoIPサーバを設置せず、更に転送ゲートウェイ装置を設置しない点が図１に示した従来技術の構成と異なる。つまり、図４の構成では、インターネット網２１内の端末はIP電話網２３のVoIPサーバ２５とIPレイヤで直接接続することが可能である。なお、VoIPサーバ２５への接続の際には、ID、パスワード等を用いた認証が行われる。
【００２２】
また、IP電話網２３には転送前ガイダンスを送出するための転送前ガイダンス送出端末２７が設置される。もちろん、VoIPサーバ２５と転送前ガイダンス送出端末２７を１つの装置として構成することとしてもよい。
【００２３】
次に、基本動作を説明する。なお、本実施の形態ではIP電話網２３において電気通信番号を割り当てられたIP電話端末２９がインターネット網２１もしくはIP電話網２３に接続する場合を想定している。図４はIP電話端末２９がインターネット網２１に接続する場合を示している。
【００２４】
VoIPサーバ２５が一般電話網３１又はIP電話網２３（図４では一般電話網３１）に接続された発端末３３からの着端末（IP電話端末２９）に対する呼接続要求を受信すると（ステップ３１）、VoIPサーバ２５は、呼接続要求に含まれる着信先の電番に対応するIP電話端末２９がIP電話網２３に接続されているか、それともインターネット網２１に接続されているかの判定を行い、IP電話網２３に接続されていると判定した場合は通常の呼接続処理を行う。インターネット網２１に接続されていると判定した場合は、発端末３３に対して転送前ガイダンスの送出を行った（ステップ３２、３３）後に、着端末であるIP電話端末２９への呼接続処理を行い（ステップ３４）、IP電話端末２９と発端末３３とが呼接続され、通話が行われる。
【００２５】
転送前ガイダンスの送出要否の決定を行うために、IP電話端末２９がIP電話網２３に接続されているか、それともインターネット網２１に接続されているかを判定する方法として下記の方法がある。
【００２６】
＜方法１＞
IP電話端末２９がIP電話網２３のVoIPサーバ２５に対して登録（レジスター）を行う際に、IP電話端末２９自身が自分が現在IP電話網２３に接続しているのか、それともインターネット網２１に接続しているのかを識別し、その識別結果（インターネット接続状態と呼ぶ）をVoIPサーバ２５に通知し、VoIPサーバ２５はインターネット接続状態をIP電話端末２９の電番とIPアドレスに対応付けて保持し、IP電話端末２９への呼接続要求があったときにそのインターネット接続状態を参照することにより判定を行う。
【００２７】
＜方法２＞
IP電話端末２９がIP電話網２３のVoIPサーバ２５に対して登録（レジスター）を行う際に、VoIPサーバ２５がIP電話端末２９から受信したIPアドレスを用いることにより、IP電話端末２９が現在IP電話網２３に接続しているのか、それともインターネット網２１に接続しているのかを識別し、その識別結果（インターネット接続状態）をIP電話端末２９の電番とIPアドレスに対応付けて保持し、IP電話端末２９への呼接続要求があったときにそのインターネット接続状態を参照することにより判定を行う。
【００２８】
＜方法３＞
IP電話端末２９への呼接続要求を受信したときに、VoIPサーバ２５が、IP電話端末２９によるVoIPサーバ２５への登録要求により登録されたIP電話端末２９のIPアドレスを参照することにより、着信先のIP電話端末２９が現在IP電話網２３に接続しているのか、それともインターネット網２１に接続しているのかを判定する。
【００２９】
＜方法４＞
IP電話端末２９を、IP電話網２３のみならずインターネット網２１からも接続可能とした端末（インターネット接続IP電話端末）とIP電話網２３のみから接続可能とした端末（IP電話専用端末）に種別分けしておき、ユーザからの申し込みによりIP電話網２３のVoIPサーバ２５に加入者データを設定する際に、当該ユーザが使用するIP電話端末の種別（インターネット接続IP電話端末又はIP電話専用端末）をVoIPサーバ２５に設定しておく。そして、IP電話端末２９への呼接続要求を受信したときに、その種別を参照して判定を行う。なお、この方法では、実際にIP電話端末２９がIP電話網２３に接続されているか、それともインターネット網２１に接続されているかを判定することにはならないが、端末種別がIP電話専用端末であればIP電話網２３に接続されており、端末種別がインターネット接続IP電話端末であればインターネット網２１に接続されていると見なすこととしている。
【００３０】
＜方法５、６、７＞
方法４に加え、更にインターネット接続状態の識別を行い、IP電話端末２９の種別とインターネット接続状態の両者から判定を行う。インターネット接続状態の識別方法として方法１、２、３があり、それぞれ方法５、６、７に対応する。
【００３１】
＜転送前ガイダンス送出動作のまとめ＞
上記各方法において、各状態に対して転送前ガイダンス送出を行うかどうかをまとめた表を図５〜７に示す。
【００３２】
図５は方法１、２、３に対応する図である。この場合、着信先のIP電話端末２９がIP電話網２３に接続されていると判定された場合は、転送前ガイダンスの送出を行わずに着信のための呼接続処理を行い、着信先のIP電話端末２９がインターネット網２１に接続されていると判定された場合は、転送前ガイダンスの送出を行って着信のための呼接続処理を行う。
【００３３】
図６は方法４に対応する図である。この場合、着信先のIP電話端末２９が"IP電話専用端末"であれば転送前ガイダンスの送出を行わずに着信のための呼接続処理を行い、着信先のIP電話端末２９が"インターネット接続IP電話端末"であれば、転送前ガイダンスの送出を行って着信のための呼接続処理を行う。
【００３４】
なお、方法４ではインターネット接続状態の識別を行わないため、IP電話専用端末がインターネット網２１に接続された場合にそれを識別することはできないが、これは利用規定等の非技術的方法で防止することになる。また、インターネット接続IP電話端末がIP電話網２３に接続された場合にも転送前ガイダンスが発信者に送出されることになるが、発信者保護の観点で問題はないと考えられる。
【００３５】
図７は方法５、６、７に対応する図である。この場合、各状態の組み合わせにおいて図７に示したとおりの動作がなされる。なお、IP電話専用端末がインターネット網２１に接続していると判定された場合は、登録の拒否を行うか、もしくは登録は許容して着信のみを拒否する。なお、方法７では登録の拒否はできないため、一旦登録を受け付けるが、着信は拒否する。
【００３６】
（詳細動作）
次に、図８〜図３２を参照して各方法に対応する動作を詳細に説明する。
【００３７】
＜＜方法１＞＞
図８は、一般電話網３１に接続された発端末３３からインターネット網２１に接続されたIP電話端末２９（以下、着端末という）への着信が行われる場合における方法１のシーケンスを示す図である。
【００３８】
まず、事前処理としてVoIPサーバ２５に着端末２９の電番を登録する（ステップ４１）。その後、着端末２９がインターネット網２１に接続し、割り当てられたIPアドレスを検出する（ステップ４２）。そして、着端末２９はインターネット接続状態を判別する。インターネット接続状態の判別方法については後述する。
【００３９】
本例では着端末はインターネット網に接続しているので、インターネット接続状態として「インターネット網内」であると判定する（ステップ４３）。ステップ４４において、着端末２９はVoIPサーバ２５に対して電番、IPアドレス、インターネット接続状態を含む登録要求を送信する。
【００４０】
登録要求を受信したVoIPサーバ２５は、IPアドレス、インターネット接続状態を電番に対応付けてテーブルとして記憶装置に格納する（ステップ４５）。VoIPサーバ２５が格納するテーブルの一例を図９に示す。図９に示すテーブルでは、電番が05033001234の端末のIPアドレスが66.1.2.3であり、インターネット接続状態が「インターネット網接続」であることを示している。なお、電番が05033001236の端末については、端末の登録がなされていないことを示している。つまり、この端末に対して呼接続要求があったとしても、この端末に着信がなされることはない。
【００４１】
図８に戻り、発端末３３において着端末２９の電番をダイアルすることによる発信操作がなされると、発端末３３から着端末２９の電番を含む呼接続要求が発信される。呼接続要求は一般電話網３１とIP電話網２３とを接続するゲートウェイ装置３５を介してVoIPサーバに送られる（ステップ４６）。
【００４２】
呼接続要求を受信したVoIPサーバ２５は、呼接続要求に含まれる着端末２９の電番を用いて図９に示したテーブルを検索することにより、当該着端末２９のインターネット接続状態が「インターネット網内」であることを検出する（ステップ４７）。
【００４３】
インターネット接続状態が「インターネット網内」であるので、VoIPサーバ２５は転送前ガイダンスを発端末３３に対して送出すると決定し、転送前ガイダンス送出端末２７に対してガイダンス送出指示を送信するとともに、発端末に対しては暫定応答を返す（ステップ４８、４９）。
【００４４】
ガイダンス送出指示を受信した転送前ガイダンス送出端末２７は、転送前ガイダンス（"インターネット電話サービスに転送します。"等）を送出する（ステップ５０）。転送前ガイダンスはゲートウェイ装置３５でメディア変換が行われ、発端末３３に送られ、発端末のユーザが聴取する（ステップ５１、５２）。転送前ガイダンスの送出が終了すると、転送前ガイダンス送出端末２７はガイダンス終了信号をVoIPサーバ２５に送信し（ステップ５３）、転送中音もしくは無音を送出する（ステップ５４）。
【００４５】
なお、上述した転送前ガイダンスはいわゆるアーリーメディアであり、転送前ガイダンス送出等に係る課金は発端末３３に対してなされない。
【００４６】
ステップ５５において、VoIPサーバは呼接続要求に含まれる電番を用いて図９に示すテーブルを検索することにより着端末２９のIPアドレスを取得し、そのIPアドレスを用いて着端末２９に対して呼接続要求を送信する（ステップ５６）。
【００４７】
呼接続要求を受信した着端末２９は呼び出しを行うとともに、呼び出し中であることを示す応答をVoIPサーバ２５に対して送出する（ステップ５７、５８）。この応答はVoIPサーバ２５を介してゲートウェイ装置３５に送信される。当該応答を受信したゲートウェイ装置３５は、リングバックトーン（RBT)を発端末３５に対して送信し、発端末３３のユーザはそれを聴取する（ステップ５９、６０）。また、VoIPサーバ２５から転送前ガイダンス送出端末２７に対しては接続の解放がなされる（ステップ６１）。
【００４８】
着端末２９がオフフックを検知すると（ステップ６２）、着端末２９は接続に成功したことを示す接続応答を送信する（ステップ６３）。その後、着端末２９と発端末３３との間で呼接続がなされ通話が行われる（ステップ６４）。
【００４９】
方法１のシーケンスの他の例を図１０に示す。上述した図８の例では転送前ガイダンスをアーリーメディアとして送出していたが、図１０の例では転送前ガイダンスを通常通話のための接続処理と同様の処理を行って送出する。ステップ４７以降が図８と異なるので、ステップ４７以降のみ説明する。
【００５０】
ステップ４７において、インターネット接続状態が「インターネット網内」であると判定された後、VoIPサーバ２５は転送前ガイダンス送出端末２７に対して着信要求（呼接続要求）を送信する（ステップ７１）。転送前ガイダンス送出端末２７は呼び出し中であることを示す応答を送出し（ステップ７２）、その応答はVoIPサーバ２５を介してゲートウェイ装置３５に送られ、ゲートウェイ装置３５はリングバックトーンを発端末３３に送出し、発端末３３のユーザはリングバックトーンを聴取する（ステップ７３、７４）。その後、転送前ガイダンス送出端末２７は接続に成功したことを示す接続応答を返す（ステップ７５）。そして、転送前ガイダンス送出端末２７は発端末３３に対して転送前ガイダンスを送出し、発端末３３のユーザはその転送前ガイダンスを聴取する（ステップ７６、７７）。
【００５１】
転送前ガイダンスの送出が終了すると、転送前ガイダンス送出端末２７はガイダンス終了信号をVoIPサーバ２５に送信し（ステップ７８）、転送中音もしくは無音を送出する（ステップ７９）。
【００５２】
ステップ８０において、VoIPサーバ２５は呼接続要求に含まれる電番を用いて着端末２９のIPアドレスを取得し、そのIPアドレスを用いて着端末２９に対して呼接続要求を送信する（ステップ８１）。
【００５３】
呼接続要求を受信した着端末２９は呼び出しを行うとともに、呼び出し中であることを示す応答をVoIPサーバに対して送信する（ステップ８２、８３）。この応答を受信したVoIPサーバ２５は、RBT送出指示を転送前ガイダンス送出端末２７に対して送信し（ステップ８４）、転送前ガイダンス送出端末２７はリングバックトーンを発端末３３に対して送信し、発端末３３のユーザはそれを聴取する（ステップ８５、８６）。
【００５４】
着端末２９がオフフックを検知すると（ステップ８７）、着端末２９は接続に成功したことを示す接続応答を送信する（ステップ８８）。接続応答を受信したVoIPサーバ２５は、RBT停止指示を転送前ガイダンス送出端末２７に送信するとともに、ゲートウェイ装置３５に対してメディア張替え指示を含む接続応答を送信する（ステップ８９、９０）。その後、ゲートウェイ装置３５を介して着端末２９と発端末３３との間で通話が行われる（ステップ９１）。また、VoIPサーバ２５から転送前ガイダンス送出端末２７に対しては接続終了のための切断信号が送出される（ステップ９２）。
【００５５】
＜通常着信の場合の処理＞
なお、参考として、方法１において着端末がIP電話網に接続されている場合のシーケンスを図１１に示す。図１１に示す処理は、インターネット接続状態が「IP電話網内」である点、及び転送前ガイダンスに関する処理が行われない点を除き図８に示す処理と同様である。
【００５６】
＜インターネット接続状態判別方法の例＞
方法１において着端末２９がインターネット接続状態を判別するための方法として、着端末２９におけるPing機能を用いてIP電話網内のみからアクセスできるIPアドレスに対してICMP（Internet Control Message Protocol）のエコー要求メッセージ送信を行う方法を説明する。
【００５７】
この方法では、図１２に示すように、IPパケットの送信元がIP電話網外である場合にパケットを疎通させないファイアウォール４０を介して、Pingに応答するサーバ４２をIP電話網２３上に設置する。図１３を参照してこの方法におけるシーケンスを説明する。
【００５８】
インターネット網２１と接続したIP電話端末２９がエコー要求メッセージを所定のIPアドレス宛に送信すると（ステップ１２１）、ファイアウォール４０は送信元のIP電話端末２９のIPアドレスがIP電話網２３外の端末のIPアドレスであると判定し、エコー要求メッセージをサーバ４２に送信しない。エコー要求メッセージを送信したIP電話端末２９は、エコー応答メッセージの返信がないことから自身がインターネット網２１に接続していると判定する。
【００５９】
IP電話網２３と接続したIP電話端末２９がエコー要求メッセージを所定のIPアドレス宛に送出した場合は（ステップ１２２）、ファイアウォール４０はそのメッセージを疎通させ（ステップ１２３）、サーバ４２からエコー応答メッセージがIP電話端末２９に返され（ステップ１２４、１２５）、IP電話端末２９は自身がIP電話網２３に接続していると判定する。      
＜＜方法２＞＞
次に、図１４のシーケンスチャートを参照して方法２について説明する。主に方法１と異なる部分について説明する。
【００６０】
着端末２９がインターネット網２１に接続し、割り当てられたIPアドレスを検出した後（ステップ１３１）、着端末２９はVoIPサーバ２５に対して電番とIPアドレスを含む登録要求を送信する（ステップ１３２）。
【００６１】
登録要求を受信したVoIPサーバ２５は、電番とIPアドレスを対応付けてテーブルとして記憶装置に格納する（ステップ１３３）。更にVoIPサーバ２５は、着端末２９のIPアドレスから着端末２９のインターネット接続状態を判別し、それを上記電番とIPアドレスに対応付けて記憶装置に格納する（ステップ１３４）。ここでは、例えばVoIPサーバ２５がIP電話網内のIPアドレスの範囲を保持しており、着端末２９のIPアドレスがその範囲の中であるかどうかでインターネット接続状態を判別する。この時点でVoIPサーバ２５が保持するテーブルの例は方法１の場合と同じく図９に示すとおりである。
【００６２】
その後、発端末３３から着端末２９の電番を含む呼接続要求が送られ（ステップ１３５）、それを受信したVoIPサーバ２５は、呼接続要求に含まれる着端末２９の電番を用いて図９に示したテーブルを検索することにより、当該着端末２９のインターネット接続状態が「インターネット網内」であることを検出する（ステップ１３６）。その後の処理は方法１（図８又は図１０）の処理と同じである。
【００６３】
＜＜方法３＞＞
次に、図１５のシーケンスチャートを参照して方法３について説明する。以下、主に方法１と異なる部分について説明する。
【００６４】
着端末２９がインターネット網２１に接続し、割り当てられたIPアドレスを検出した後（ステップ１４１）、着端末２９はVoIPサーバ２５に対して電番とIPアドレスを含む登録要求を送信する（ステップ１４２）。登録要求を受信したVoIPサーバ２５は、電番とIPアドレスを対応付けてテーブルとして記憶装置に格納する（ステップ１４３）。テーブルの例は図１６に示すとおりである。
【００６５】
その後、発端末３３から着端末２７の電番を含む呼接続要求が送信され（ステップ１４４）、それを受信したVoIPサーバ２５は、呼接続要求に含まれる着端末２９の電番を用いて図１６に示したテーブルを検索することにより、着端末２９のIPアドレスを取得し（ステップ１４５）、そのIPアドレスから着端末２９のインターネット接続状態を判別する（ステップ１４６）。判別は方法２で説明した方法で行うことができる。本例では着端末２９のインターネット接続状態が「インターネット網内」であることを検出する。その後の処理は方法１（図８又は図１０）の処理と同じである。
【００６６】
＜＜方法４＞＞
次に、図１７のシーケンスチャートを参照して方法４について説明する。以下、主に方法１と異なる部分について説明する。
【００６７】
方法４では、事前処理の段階で、VoIPサーバ２５に着端末２９の電番とインターネット接続端末識別情報とを対応付けて記憶装置に格納しておく（ステップ１５１）。ここではインターネット接続端末識別情報として"インターネット接続IP電話端末"を格納するものとする。
【００６８】
着端末２９がインターネット網２１に接続し、割り当てられたIPアドレスを検出した後（ステップ１５２）、着端末２９はVoIPサーバ２５に対して電番とIPアドレスを含む登録要求を送信する（ステップ１５３）。
【００６９】
登録要求を受信したVoIPサーバ２５は、電番とIPアドレスとを対応付けてテーブルとして記憶装置に格納する（ステップ１５４）。この時点でVoIPサーバが格納するテーブルの例を図１８に示す。方法４でのテーブルは、方法１、２におけるテーブル（図９）の"インターネット接続状態"が"インターネット接続端末識別情報"に置き換えらたものに相当する。
【００７０】
その後、発端末３３から着端末２９の電番を含む呼接続要求が送信され（ステップ１５５）、それを受信したVoIPサーバ２５は、呼接続要求に含まれる着端末２９の電番を用いて図１８に示したテーブルを検索することにより、当該着端末２９は"インターネット接続IP電話端末"であることを検知する（ステップ１５６）。これにより、VoIPサーバ２５は転送前ガイダンス送出を行うことを決定し、その後の処理を行う。その後の処理は方法１（図８又は図１０）の処理と同じである。
【００７１】
＜＜方法５＞＞
次に、方法５について説明する。方法５では、着端末の種別が2種類、着端末の接続先の網の種別が２種類あるので計４種類の場合がある。
【００７２】
＜第１の場合＞  
まず、図１９を参照して着端末２９の種別がIP電話専用端末であり、それがIP電話網２３に接続されている場合について説明する。
【００７３】
事前処理の段階で、VoIPサーバ２５に着端末２９の電番とインターネット接続端末識別情報とを対応付けて記憶装置に格納しておく。ここではインターネット接続端末識別情報として"IP電話専用端末"を格納する。
【００７４】
着端末２９がIP電話網２３に接続し、割り当てられたIPアドレスを検出した後（ステップ１６２）、着端末２９は方法１で説明した方法と同様にしてインターネット接続状態を判別する（ステップ１６３）。本例では着端末２９はIP電話網に接続しているので、インターネット接続状態として「IP電話網内」であると判定する。ステップ１６４において、着端末はVoIPサーバに対して電番、IPアドレス、及びインターネット接続状態を含む登録要求を送信する。
【００７５】
登録要求を受信したVoIPサーバ２５は、電番、IPアドレス、及びインターネット接続状態をインターネット接続端末識別情報に対応付けて記憶装置に格納する（ステップ１６５）。この時点でVoIPサーバ２５が格納するテーブルの例を図２０に示す。
【００７６】
本例では、着端末２９としてIP電話専用端末がIP電話網２３に接続されているので、転送前ガイダンスを行うことなく、図１１の処理と同様にして通常の着信処理が実行される。
【００７７】
＜第２の場合＞  
次に、図２１を参照して着端末２９の種別がIP電話専用端末であり、それがインターネット網２１に接続される場合について説明する。
【００７８】
事前処理の段階で、VoIPサーバ２５に着端末２９の電番とインターネット接続端末識別情報とを対応付けて記憶装置に格納しておく。ここではインターネット接続端末識別情報として"IP電話専用端末"を格納する。
【００７９】
着端末２９がインターネット網２１に接続し、割り当てられたIPアドレスを検出した後（ステップ１７２）、着端末２９は方法１で説明した方法と同様にしてインターネット接続状態を判別する。本例では着端末はインターネット網に接続しているので、インターネット接続状態として「インターネット網内」であると判定する（ステップ１７３）。そして、着端末２９は自分の登録情報により自分が"IP電話専用端末"であることを識別し、登録処理を行わないことを決定する（ステップ１７４）。これにより、この着端末２９は、接続先の網をIP電話網２３に変更しない限り、発信も着信もできないことになる。
【００８０】
このような処理に変え、図１９の場合と同様にして登録処理を行い、VoIPサーバ２５が発端末３３からの呼接続要求を受信したときに、インターネット接続端末識別情報とインターネット接続状態からIP電話専用端末がインターネット網２１に接続されていると判定し、着端末２９への着信接続は行わず、着端末２９には現在通話を接続できないことを、話中音もしくはガイダンスなどで発端末３３に通知することとしてもよい。また留守番電話サービスや転送電話サービスに接続することも考えられる。
【００８１】
＜第３の場合＞  
次に、図２２を参照して着端末２９の種別がインターネット接続IP電話端末であり、それがIP電話網２３に接続されている場合について説明する。
【００８２】
事前処理の段階で、VoIPサーバ２５に着端末２９の電番とインターネット接続端末識別情報とを対応付けて記憶装置に格納しておく。ここではインターネット接続端末識別情報として"インターネット接続IP電話端末"を格納する。
【００８３】
着端末２９がIP電話網２３に接続し、割り当てられたIPアドレスを検出した後（ステップ１８２)、着端末２９は方法１で説明した方法と同様にしてインターネット接続状態を判別する。
【００８４】
本例では着端末２９はIP電話網２３に接続しているので、インターネット接続状態として「IP電話網内」であると判定する（ステップ１８３）。ステップ１８４において、着端末２９はVoIPサーバ２５に対して電番、IPアドレス、及びインターネット接続状態を含む登録要求を送信する。
【００８５】
登録要求を受信したVoIPサーバ２５は、電番、IPアドレス、及びインターネット接続状態をインターネット接続端末識別情報と対応付けて記憶装置に格納する（ステップ１８５）。その後、転送前ガイダンスを行うことなく、通常の着信処理が実行される。
【００８６】
＜第４の場合＞
次に、図２３を参照して着端末２９の種別がインターネット接続IP電話端末であり、それがインターネット網２１に接続されている場合について説明する。
【００８７】
事前処理の段階で、VoIPサーバ２５に着端末の電番とインターネット接続端末識別情報とを対応付けて記憶装置に格納しておく（ステップ１９１）。ここではインターネット接続端末識別情報として"インターネット接続IP電話端末"を格納する。
【００８８】
着端末２９がインターネット網２１に接続し、割り当てられたIPアドレスを検出した後（ステップ１９２）、着端末２９は方法１で説明した方法と同様にしてインターネット接続状態を判別する。
【００８９】
本例では着端末２９はインターネット網２１に接続しているので、インターネット接続状態として「インターネット網内」であると判定する（ステップ１９３）。ステップ１９４において、着端末２９はVoIPサーバ２５に対して電番、IPアドレス、及びインターネット接続状態を含む登録要求を送信する。
【００９０】
登録要求を受信したVoIPサーバ２５は、電番、IPアドレス、及びインターネット接続状態をインターネット接続端末識別情報と対応付けて記憶装置に格納する（ステップ１９５）。その後、方法１と同様にして転送前ガイダンス送出を含む着信処理を行う。
【００９１】
＜＜方法６＞＞
次に、方法６について説明する。方法６でも、着端末の種別が2種類、着端末の接続先の網の種別が２種類あるので計４種類の場合がある。以下、事前処理における電番とインターネット接続端末識別情報の登録については方法５と同様であるので、特に説明をしない。
【００９２】
＜第１の場合＞
まず、図２４を参照して着端末の種別がIP電話専用端末であり、それがIP電話網に接続されている場合について説明する。
【００９３】
着端末２９がIP電話網２３に接続し、割り当てられたIPアドレスを検出した後（ステップ２０２）、着端末２９はVoIPサーバ２５に対して電番とIPアドレスを含む登録要求を送信する（ステップ２０３）。
【００９４】
登録要求を受信したVoIPサーバ２５は、着端末２９のIPアドレスから着端末２９のインターネット接続状態を方法２と同様にして「IP電話網内」と判別し（ステップ２０４）、電番、IPアドレス、インターネット接続状態をインターネット接続端末識別情報と対応付けて記憶装置に格納する（ステップ２０５）。方法６においてVoIPサーバ２５が保持するテーブルは方法５の場合と同じく図２０に示すとおりである。その後は、転送前ガイダンスを行うことなく通常の着信処理が実行される。
【００９５】
＜第２の場合＞
次に、着端末２９の種別がIP電話専用端末であり、それがインターネット網２１に接続される場合について図２５を参照して説明する。
【００９６】
着端末２９がインターネット網に接続し、割り当てられたIPアドレスを検出した後（ステップ２１２）、着端末２９はVoIPサーバ２５に対して電番とIPアドレスを含む登録要求を送信する（ステップ２１３）。
【００９７】
登録要求を受信したVoIPサーバ２５は、着端末２９のIPアドレスから着端末２９のインターネット接続状態を「インターネット網内」であると判定する（ステップ２１４）。VoIPサーバ２５は、着端末２９が"IP電話専用端末"であることを識別し、登録拒否信号を着端末２９に送信する（ステップ２１５）。
【００９８】
このような処理に変え、図２４の場合と同様にして登録処理を行い、VoIPサーバ２５が発端末３３からの呼接続要求を受信したときに、インターネット接続端末識別情報とインターネット接続状態からIP電話専用端末がインターネット網２１に接続されていると判定し、着端末２９への着信接続は行わず、着端末２９には現在通話を接続できないことを、話中音もしくはガイダンスなどで発端末３３に通知することとしてもよい。また留守番電話サービスや転送電話サービスに接続することも考えられる。
【００９９】
＜第３の場合＞
次に、図２６を参照して着端末２９の種別がインターネット接続IP電話端末であり、それがIP電話網２３に接続されている場合について説明する。
【０１００】
着端末２９がIP電話網２３に接続し、割り当てられたIPアドレスを検出した後（ステップ２２２）、着端末２９はVoIPサーバ２５に対して電番とIPアドレスを含む登録要求を送信する（ステップ２２３）。
【０１０１】
登録要求を受信したVoIPサーバ２５は、着端末２９のIPアドレスから着端末のインターネット接続状態を「IP電話網内」と判定し（ステップ２２４）、電番、IPアドレス、インターネット接続状態をインターネット接続端末識別情報と対応付けて記憶装置に格納する（ステップ２２５）。その後は、転送ガイダンスなしの通常の着信処理が実行される。
【０１０２】
＜第４の場合＞
次に、図２７を参照して着端末２９の種別がインターネット接続IP電話端末であり、それがインターネット網２１に接続される場合について説明する。
【０１０３】
着端末２９がインターネット網２１に接続し、割り当てられたIPアドレスを検出した後（ステップ２３２）、着端末２９はVoIPサーバ２５に対して電番とIPアドレスを含む登録要求を送信する（ステップ２３３）。
【０１０４】
登録要求を受信したVoIPサーバ２５は、着端末２９のIPアドレスから着端末２９のインターネット接続状態を「インターネット網内」と判定し（ステップ２３４）、電番、IPアドレス、インターネット接続状態をインターネット接続端末識別情報と対応付けて記憶装置に格納する（ステップ２３５）。その後は、方法１と同様に、転送ガイダンスありの着信処理が実行される。
【０１０５】
＜＜方法７＞＞
次に、方法７について説明する。方法７でも、着端末の種別が2種類、着端末の接続先の網の種別が２種類あるので計４種類の場合がある。以下、事前処理における電番とインターネット接続端末識別情報の登録については方法５と同様であるので、特に説明をしない。
【０１０６】
＜第１の場合＞
まず、図２８を参照して着端末２９の種別がIP電話専用端末であり、それがIP電話網２３に接続される場合について説明する。
【０１０７】
着端末２９がIP電話網２３に接続し、割り当てられたIPアドレスを検出した後（ステップ２４２）、VoIPサーバ２５に対して電番とIPアドレスを含む登録要求を送信する（ステップ２４３）。
【０１０８】
登録要求を受信したVoIPサーバ２５は、電番とIPアドレスをインターネット接続端末識別情報と対応付けてテーブルとして記憶装置に格納する（ステップ２４４）。方法７におけるテーブルの例を図２９に示す。
【０１０９】
その後、発端末３３から着端末２９の電番を含む呼接続要求が送信され（ステップ２４５）、それを受信したVoIPサーバ２５は、呼接続要求に含まれる着端末２９の電番を用いて図２９に示したテーブルを検索することにより、着端末２９のIPアドレスを取得し（ステップ２４６）、そのIPアドレスから着端末２９のインターネット接続状態を「IP電話網内」であると判定する（ステップ２４７）。そして、上記IPアドレスを用いて着端末２９に呼接続要求を送信する（ステップ２４８）。その後は、図１１と同様に、転送前ガイダンスなしの通常着信処理が行われる。
【０１１０】
＜第２の場合＞  
次に、図３０を参照して着端末２９の種別がIP電話専用端末であり、それがインターネット網２１に接続される場合について説明する。
【０１１１】
着端末２９がインターネット網２１に接続し、割り当てられたIPアドレスを検出した後（ステップ２５２）、VoIPサーバ２５に対して電番とIPアドレスを含む登録要求を送信する（ステップ２５３）。登録要求を受信したVoIPサーバ２５は、電番とIPアドレスをインターネット接続端末識別情報と対応付けてテーブルとして記憶装置に格納する（ステップ２５４）。
【０１１２】
その後、発端末３３から着端末２９の電番を含む呼接続要求が送信され（ステップ２５５）、それを受信したVoIPサーバ２５は、呼接続要求に含まれる着端末２９の電番を用いてテーブルを検索することにより、着端末２９のIPアドレスを取得し（ステップ２５６）、そのIPアドレスから着端末２９のインターネット接続状態を「インターネット網内」であると判定する（ステップ２５７）。
【０１１３】
VoIPサーバ２５は、着端末２９が"IP電話専用端末"であることを識別すると、発端末３３からの呼接続要求を拒否するために、切断信号を送出する（ステップ２５８）。なお、着端末２９には現在通話を接続できないことを、話中音もしくはガイダンスなどで発端末３３に通知することとしてもよい。また、留守番電話サービスや転送電話サービス等の付加サービス契約がある場合はここで付加サービスを起動してもよい。
【０１１４】
＜第３の場合＞
次に、図３１を参照して着端末２９の種別がインターネット接続IP電話端末であり、それがIP電話網２３に接続される場合について説明する。
【０１１５】
着端末２９がIP電話網２３に接続し、割り当てられたIPアドレスを検出した後（ステップ２６２）、VoIPサーバ２５に対して電番とIPアドレスを含む登録要求を送信する（ステップ２６３）。登録要求を受信したVoIPサーバ２５は、電番とIPアドレスをインターネット接続端末識別情報と対応付けてテーブルとして記憶装置に格納する（ステップ２６４）。
【０１１６】
その後、発端末３３から着端末２９の電番を含む呼接続要求が発信され（ステップ２６５）、呼接続要求を受信したVoIPサーバ２５は、呼接続要求に含まれる着端末２９の電番を用いてテーブルを検索することにより、着端末２９のIPアドレスを取得し（ステップ２６６）、そのIPアドレスから着端末２９のインターネット接続状態を「IP電話網内」であると判定する（ステップ２６７）。そして、上記IPアドレスを用いて着端末２９に呼接続要求を送信する（ステップ２６８）。その後は、図１１と同様に、転送前ガイダンスなしの通常着信処理が行われる。
【０１１７】
＜第４の場合＞
次に、図３２を参照して着端末２９の種別がインターネット接続IP電話端末であり、それがインターネット網２１に接続される場合について説明する。
【０１１８】
着端末２９がインターネット網２１に接続し、割り当てられたIPアドレスを検出した後（ステップ２７２）、VoIPサーバ２５に対して電番とIPアドレスを含む登録要求を送信する（ステップ２７３）。登録要求を受信したVoIPサーバ２５は、電番とIPアドレスをインターネット接続端末識別情報と対応付けてテーブルとして記憶装置に格納する（ステップ２７４）。
【０１１９】
その後、発端末３３から着端末２９の電番を含む呼接続要求が発信され（ステップ２７５）、呼接続要求を受信したVoIPサーバ２５は、呼接続要求に含まれる着端末２９の電番を用いてテーブルを検索することにより、着端末２９のIPアドレスを取得し（ステップ２７６）、そのIPアドレスから着端末２９のインターネット接続状態を「インターネット網内」であると判定する（ステップ２７７）。その後は、方法１と同様にして、転送前ガイダンスありの着信処理が行われる。
【０１２０】
（VoIPサーバの機能構成例）
図３３に、VoIPサーバ２５の機能構成例を示す。図３３に示すようにVoIPサーバ２５は、ネットワーク通信部２５１、登録処理部２５２、判定処理部２５３、呼接続制御部２５４、及びデータ格納部２５５を備えている。
【０１２１】
ネットワーク通信部２５１は、ネットワークを介してデータの送受信を行うための機能部である、登録処理部２５２は、端末からの登録要求を受けて各データをデータ格納部２５５に格納する登録処理を行う機能部である。また、方法２、６に対応して、IPアドレスから端末の接続先網を識別する機能も備えている。
【０１２２】
判定処理部２５３は、発端末からの呼接続要求を受信した後、上述した各方法により着信先の端末がIP電話網に接続されているか、インターネット網に接続されているかを判定し、転送前ガイダンス送出の要否を決定し、転送前ガイダンス送出の要の場合は、転送前ガイダンスの送出指示を転送前ガイダンス送出端末２７に送信する機能を備えている。呼接続制御部２５４は、端末間での呼接続のための処理を行う機能部である。データ格納部２５５は、処理に係る各種データを格納する。
【０１２３】
なお、VoIPサーバ２５の機能構成は図３３に示すものに限らず、これまでに説明した動作を実現できるものであればどのような構成でもよい。また、VoIPサーバ２５に転送前ガイダンス送出機能を備えることとしてもよい。
【０１２４】
VoIPサーバ２５は、CPU及び記憶装置等を備えた一般的なコンピュータに、これまでに説明した動作に対応する処理を記述したプログラムを実行させることにより実現可能である。当該プログラムはネットワークからダウンロードしたり、CD-ROMやメモリ等のコンピュータ読み取り可能な記録媒体に格納し、配布することが可能である。
【０１２５】
（実施の形態の効果）
本実施の形態で説明した構成を用いることにより、従来技術で必要であったインターネット電話網のVoIPサーバと転送ゲートウェイ装置を不要としてサービスを提供する網構成をシンプルにしつつ、サービス利用ユーザから見た場合には従来技術と同等の機能が提供される。このことから以下の効果がある。
（１）利用者のサービス利用開始、利用停止、付加サービスの設定等に際し、主にIP電話網のVoIPサーバのみに対する設定を行えばよく、サービス運用業務が単純化及び効率化する。
（２）付加サービスの実現には主にIP電話網に対する開発のみですむことから、開発コストが低減する。
（３）従来技術で必要であったインターネット電話網におけるVoIPサーバや管理運用機能、及び転送ゲートウェイ装置のための設備コスト、及びこれら追加装置の運用・維持コストが不要となる。
（４）転送ゲートウェイ装置をなくし、インターネット網とIP電話網の接続をシンプルにすることで、通話品質・接続品質が低下するか、最小限度とすることができる。
（５）IP電話網とインターネット網の間を自由に移動して通話を行う端末とサービスの実現が可能である。
【０１２６】
なお、本発明は、上記の実施の形態に限定されることなく、特許請求の範囲内において、種々変更・応用が可能である。    
【図面の簡単な説明】
【０１２７】
【図１】従来技術のシステム構成を示す図である。
【図２】従来技術におけるシステムの動作を示すシーケンスチャートである。
【図３】従来技術における登録データ例を示す図である。
【図４】本発明の実施の形態におけるシステム構成と基本動作を説明するための図である。
【図５】方法１、２、３に対応する転送前ガイダンス送出動作のまとめの図である。
【図６】方法４に対応する転送前ガイダンス送出動作のまとめの図である。
【図７】方法５、６、７に対応する転送前ガイダンス送出動作のまとめの図である。
【図８】方法１における動作を説明するためのシーケンスチャートである。
【図９】方法１、２においてVoIPサーバが格納するテーブルの一例を示す図である。
【図１０】方法１における動作の他の例を説明するためのシーケンスチャートである。
【図１１】通常着信処理を示すシーケンスチャートである。
【図１２】方法１、５においてインターネット接続状態を判別するための方法を説明するための図である。
【図１３】方法１、５においてインターネット接続状態を判別するための方法を説明するための図である。
【図１４】方法２における動作を説明するためのシーケンスチャートである。
【図１５】方法３における動作を説明するためのシーケンスチャートである。
【図１６】方法３においてVoIPサーバが格納するテーブルの一例を示す図である。
【図１７】方法４における動作を説明するためのシーケンスチャートである。
【図１８】方法４においてVoIPサーバが格納するテーブルの一例を示す図である。
【図１９】方法５における第１の場合の動作を説明するためのシーケンスチャートである。
【図２０】方法５、６においてVoIPサーバが格納するテーブルの一例を示す図である。
【図２１】方法５における第２の場合の動作を説明するためのシーケンスチャートである。
【図２２】方法５における第３の場合の動作を説明するためのシーケンスチャートである。
【図２３】方法５における第４の場合の動作を説明するためのシーケンスチャートである。
【図２４】方法６における第１の場合の動作を説明するためのシーケンスチャートである。
【図２５】方法６における第２の場合の動作を説明するためのシーケンスチャートである。
【図２６】方法６における第３の場合の動作を説明するためのシーケンスチャートである。
【図２７】方法６における第４の場合の動作を説明するためのシーケンスチャートである。
【図２８】方法７における第１の場合の動作を説明するためのシーケンスチャートである。
【図２９】方法７においてVoIPサーバが格納するテーブルの一例を示す図である。
【図３０】方法７における第２の場合の動作を説明するためのシーケンスチャートである。
【図３１】方法７における第３の場合の動作を説明するためのシーケンスチャートである。
【図３２】方法７における第４の場合の動作を説明するためのシーケンスチャートである。
【図３３】VoIPサーバの機能構成例を示す図である。
【符号の説明】
【０１２８】
３  インターネット電話網
５  転送ゲートウェイ装置
７、２３  IP電話網
１、９、２５  VoIPサーバ
１０、３２  交換機
１１、３１  一般電話網
１３、３５  ゲートウェイ装置
２１  インターネット網
２９  IP電話端末、着端末
２７  転送前ガイダンス送出端末
３３  発端末
２５１  ネットワーク通信部
２５２  登録処理部
２５３  判定処理部
２５４  呼接続制御部
２５５  データ格納部
【図１】
2008271218.tif 000003
【図２】
2008271218.tif 000004
【図３】
2008271218.tif 000005
【図４】
2008271218.tif 000006
【図５】
2008271218.tif 000007
【図６】
2008271218.tif 000008
【図７】
2008271218.tif 000009
【図８】
2008271218.tif 000010
【図９】
2008271218.tif 000011
【図１０】
2008271218.tif 000012
【図１１】
2008271218.tif 000013
【図１２】
2008271218.tif 000014
【図１３】
2008271218.tif 000015
【図１４】
2008271218.tif 000016
【図１５】
2008271218.tif 000017
【図１６】
2008271218.tif 000018
【図１７】
2008271218.tif 000019
【図１８】
2008271218.tif 000020
【図１９】
2008271218.tif 000021
【図２０】
2008271218.tif 000022
【図２１】
2008271218.tif 000023
【図２２】
2008271218.tif 000024
【図２３】
2008271218.tif 000025
【図２４】
2008271218.tif 000026
【図２５】
2008271218.tif 000027
【図２６】
2008271218.tif 000028
【図２７】
2008271218.tif 000029
【図２８】
2008271218.tif 000030
【図２９】
2008271218.tif 000031
【図３０】
2008271218.tif 000032
【図３１】
2008271218.tif 000033
【図３２】
2008271218.tif 000034
【図３３】
2008271218.tif 000035